(57)【要約】      （修正有）【課題】バネホックのバネ側を生地にカシメ留めするための頭において、生地にバネ側をカシメた際に頭の中央部にカシメ時の打痕あるいは傷等が発生するのを防ぐと共に生地との密着性を高めたホックのバネ取付用頭を提供する。【解決手段】ホックのバネ３３を生地３０に取り付けるための頭２０において、頭２０の反射２２を形成する絞り部の根元に対応する位置に刻印３１を形成した内皿２３を被せてこの内皿２３の周囲でフランジ２１の周囲をくるむことによりフランジ２１の外側に内皿２３を取り付けると共にこの内皿２３の外側に外皿２５を取り付ける。このように刻印３１を形成するとこの刻印３１がカシメ時の衝撃を吸収することにより打痕や傷が発生しないと共にフランジ２１に折り返し部を形成して内皿２３と外皿２５間に隙間を形成しないことにより高さを抑えて生地３０との密着性を高める。【選択図】図１
0003182242.tif 000002
【実用新案登録請求の範囲】
【請求項１】
ホックのバネ側を生地に取り付けるための頭において、頭の反射部を形成する絞りの根元に対応する位置に刻印を形成した内皿を被せてこの内皿の周囲で頭のフランジの周囲をくるむことによりフランジの外側に内皿を取り付けると共にこの内皿の周囲をくるむことにより内皿の外側に外皿を取り付けたことを特徴とするホックのバネ取付用頭。
【請求項２】
前記刻印は、内皿において外向き又は内向きに突出形成されていることを特徴とする請求項１に記載のホックのバネ取付用頭。
【請求項３】
前記頭のフランジであって、前記内皿でくるむ部分に廻り止め用のリブが形成されていることを特徴とする請求項１に記載のホックのバネ取付用頭。
【請求項４】
前記内皿の周囲であって、フランジをくるんだ部分の外側に角が形成されていることを特徴とする請求項１に記載のホックのバネ取付用頭。
【請求項５】
前記外皿の周囲であって、前記内皿をくるんだ部分の外側に角が形成されていることを特徴とする請求項１に記載のホックのバネ取付用頭。
【考案の詳細な説明】
【技術分野】
【０００１】
本考案は、被服等に用いられるホックのバネ取付用頭に関し、更に詳しくは、この頭を用いてバネを生地にカシメたときに、生地との密着性を高め、更に頭の表面に打痕や傷が付くのを防止するようにその構造を改良したホックのバネ取付用頭に関する。
【背景技術】
【０００２】
従来の頭１の構造は、図９に示すように、フランジ２とこの中央に形成した反射部３と、フランジ２の外側に取り付けられた皿４とからなり、図８に示すように、生地５に対してバネ６をカシメ留めすると、カシメ機の打撃により反射部３の絞り部３ａのところが変形すると共にこの変形部３ｂのところであって、皿４の表面に打痕や傷７が発生して見栄えが悪くなる。
【０００３】
そこで、図１０に示すように、フランジ２の中央部を一段下げると共にここに折り返し部８を形成して反射部３の絞り部３ａの根元部分を補強し、この折り返し部８により絞り部３ａの根元部分を補強して周りの根元部分が変形し、これにより皿に打痕や傷が付くのを防止している。
【０００４】
しかし、このように絞り部３ａの根元部分を補強した形態の場合、図１１に示すように皿４と折り返し部８との間の隙間が大きくなり、絞り部３ａを一段下げていると、バネ６に取り付けた場合、全高が高くなると共にバネ６と頭１との隙間が大きくなることにより生地との密着が悪くなり、薄い生地に使用しずらいという問題がある。
【考案の開示】
【考案が解決しようとする課題】
【０００５】
本考案は、以上の如き問題点の解消を目的として提供されるものであって、バネと頭の取付時の隙間を小さくすることにより密着性を高め、更にカシメ時に生じる打痕や傷等が表面の中央部に出来ないホックのバネ取付用頭を提供するのが目的である。
【課題を解決するための手段】
【０００６】
上記課題を解決するため、請求項１に記載のホックのバネ取付用頭は、ホックのバネ側を生地に取り付けるための頭において、頭の反射部を形成する絞りの根元に対応する位置に刻印を形成した内皿を被せてこの内皿の周囲で頭のフランジの周囲をくるむことによりフランジの外側に内皿を取り付けると共にこの内皿の周囲をくるむことにより内皿の外側に外皿を取り付けたこと、を特徴とするものである。
【０００７】
また、請求項２に記載の考案は、請求項１に記載のホックのバネ取付用頭において、前記刻印は、内皿において外向き又は内向きに突出形成されていること、を特徴とするものである。
この発明によると、生地との密着性を高めることができる。
【０００８】
また、請求項３に記載の考案は、請求項１に記載のホックのバネ取付用頭において、前記頭のフランジであって、前記内皿でくるむ部分に廻り止め用にリブを形成してなること、を特徴とするものである。
この発明によると、生地との密着性を高めることができる。
【０００９】
また、請求項４に記載の考案は、請求項１に記載のホックのバネ取付用頭において、前記外皿の周囲であって、前記内皿をくるんだ部分の外側に角を形成してなること、を特徴とするものである。
この発明によると、生地との密着性を高めることができる。
【考案の効果】
【００１０】
本考案は以上のとおり、頭を反射とこの反射のフランジに被せた内皿とこの内皿に被せた外皿で構成すると共に内皿の中央部であって、反射の絞り部の根元に対応する部分に刻印を形成したことにより、カシメ時にこの刻印がカシメ機の打撃時の衝撃を吸収すると共に、更に内皿と外皿で衝撃を吸収することにより、頭の表面に打痕や傷がつくのを防止することができる。
【００１１】
また、フランジの中央を一段低く落し込んで折り返し部を形成しないことにより、フランジと内皿及び外皿との間に出来る隙間を小さく形成して生地との密着性を高めることができる。
【図面の簡単な説明】
【００１２】
【図１】本考案に係る頭を用いてバネホックのバネ側を生地に取り付けた状態の説明図
【図２】フランジを示し、（Ａ）はフランジの断面図、（Ｂ）は平面図
【図３】内皿の断面図
【図４】（Ａ）〜（Ｄ）内皿に形成した刻印の説明図
【図５】内皿をフランジに取り付けた状態の説明図
【図６】外皿の説明図
【図７】外皿を内皿の外に取り付けた状態の説明図
【図８】従来の頭を用いてバネを生地に取り付けた状態の説明図
【図９】フランジに皿を取り付けた従来の頭の説明図
【図１０】フランジにおいて根元部分を落し込んで折り返し部を形成し従来の頭の説明図
【図１１】図１０の頭を用いてバネを生地に取り付けた状態の説明図
【考案を実施するための形態】
【００１３】
本考案に係る頭は、バネホック及びリングホックのバネ側をカシメ方式で生地に取り付ける際に用いられる。
【実施例】
【００１４】
図１〜７に基づいて本考案の詳細を説明する。
【００１５】
図１は、本考案に係る頭を用いて生地３０にバネ３３側を取り付けた実施例であって、この頭２０は、フランジ２１の中央に反射２２を形成すると共にフランジ２１の外に内皿２３を被冠し、周囲をクルミ２４方式で外に取り付け、更に、内皿２３の外に外皿２５を被冠し、この外皿２５の周囲をクルミ２６方式で内皿２３の外に取り付けた構成である。
【００１６】
２７はフランジ２１の内面の周囲に沿って形成したリブ、２８は内皿２３のクルミ２４の外に形成した角、２９は外皿２５のクルミ２６の外に形成した角であって、前記リブ２７は内皿２３との係合強度を高め、角２８は内皿２３と外皿２５との係合強度を高め、角２９は生地３０に喰い込んで外皿２５（ホック２０）が生地３０との間において回転するのを阻止する役目を負っている。
【００１７】
図２（Ａ）、（Ｂ）は上記したフランジ２１の構成を示し、本実施例においてリブ２７は等間隔で６ヶ所に形成されているが、この数と形状は内皿２３との関係で廻らないようにするためのものであり、この目的を奏する限り任意である。
【００１８】
図３（Ａ）、（Ｂ）は上記した内皿２３を示し、中央に形成した刻印３１は前記フランジ２１の中央部に形成した反射２２の絞りの根元３２部分に対応しており、この刻印３１によりカシメ時の衝撃を吸収する。
【００１９】
なお、前記刻印３１は内皿２３の内方に突出形成されているが、反対に外側に突出形成されても良い。
【００２０】
また、この刻印３１の形状（模様）は、図４（Ａ）〜（Ｄ）に示すような形状を代表例として示すことができるが、この形状もカシメ衝撃の吸収を可能とする限り任意である。
実験によると（Ｄ）に示す形状の刻印３１のものが最も有効であった。
【００２１】
図６は、前記した外皿２５の構成を示し、この外皿２５は前記内皿２３に被せる前の構成を示し、前記した内皿２３の角２８及び外皿２５の角２９はクルミ２４、２６を行う際に同時に突出形成され、角２８は内皿２３の外で外皿２５が廻るのを阻止、角２９は前記のように生地３０との間で外皿２５（ホック２０）が回転するのを阻止する。
【００２２】
なお、角リブ２７、角２８、２９は、生地３０の材質や厚さ、用途等により選択的に形成され、場合によっては（回転する力がかからない場合には）いずれも形成されない場合もある。
【符号の説明】
【００２３】
２０  頭
２１  フランジ
２２  反射
２３  内皿
２４  クルミ
２５  外皿
２６  クルミ
２７  リブ
２８  角
２９  角
３０  生地
３１  刻印
３２  根元
３３  バネ
【図１】
0003182242.tif 000003
【図２】
0003182242.tif 000004
【図３】
0003182242.tif 000005
【図４】
0003182242.tif 000006
【図５】
0003182242.tif 000007
【図６】
0003182242.tif 000008
【図７】
0003182242.tif 000009
【図８】
0003182242.tif 000010
【図９】
0003182242.tif 000011
【図１０】
0003182242.tif 000012
【図１１】
0003182242.tif 000013